(57)【要約】【課題】屋根設置部材の取付工程を簡便に行うことができ、しかもビス固定箇所の周辺を確実に防水処理することのできる屋根設置部材の新しい固定構造を提供する。【解決手段】屋根材（４）を貫通して下地シート（３）および野地板（２）に刺入されたビス（１１）によって屋根設置部材（１０）が屋根材（４）上に固定された構造であって、ビス本体（１２）の上部領域にはシール材（１３）が被覆されており、このビスのシール材（１３）が屋根材（４）のビス穴（６）を密封し、かつシール材下端（１４）が下地シート（３）に密接しているものとする。【選択図】　図１
2004027575.tif 000002
【特許請求の範囲】
【請求項１】
屋根材を貫通して下地シートおよび野地板に刺入されたビスによって屋根設置部材が屋根材上に固定された構造であって、ビス本体の上部領域にはシール材が被覆されており、このビスのシール材が屋根材のビス穴を密封し、かつシール材下端が下地シートに密接していることを特徴とする屋根設置部材の固定構造。
【請求項２】
シール材下端の凹部にコーキング材を充填したビスが、屋根材を貫通して下地シートおよび野地板に刺入されている請求項１の固定構造。
【発明の詳細な説明】
【０００１】
【発明の属する技術分野】
この出願の発明は、屋根設置部材の固定構造に関するものである。さらに詳しくは、この出願の構造は、既設の屋根上に太陽電池モジュールやそのパネル等の機能性の屋根設置部材がビス固定された構造に関するものである。
【０００２】
【従来の技術】
太陽電池パネルや太陽熱給湯システム等が一般住宅にも普及しつつあり、既設の屋根面上にそれらの設備（屋根設置部材）を後付固定することも頻繁に行われている。
【０００３】
住宅等の既設の屋根面上に屋根設置部材を固定するには、図４に例示した方法が知られている。この図４に例示した従来の方法では、屋根（１）としての、野地板（２）、下地シート（３）、およびスレート瓦等の屋根材（４）からなる積層構造において、屋根設置部材の固定箇所にフレーム材（５）を配置し（図４Ａ）、そしてこのフレーム材（５）と屋根材（４）にビス穴（６）をあけ（図４Ｂ）、このビス穴（６）にシリコン等のコーキング材（７）を注入（図４Ｃ）した後、ビス（８）を回転刺入させて接続金具（９）を取付け、この接続金具（９）に屋根設置部材（１０）を固定するようにしている（図４Ｄ）。このように、ビス穴（６）にコーキング材（７）を充填することによって屋根材（４）の防水性を維持することが図られている。
【０００４】
【発明が解決しようとする課題】
しかしながら、図４に例示したような従来方法による固定構造の場合には、粘性の高いシリコン等のコーキング材（７）をビス穴（６）に注入することは容易ではなく、例えば、ビス穴（６）の周辺にクッション材を配置して、その弾性を利用して何度かに分けてコーキング材（７）をビス穴（６）に押し込むなどの方法も採用されているが、実際上は不十分な対応に止まっている。
【０００５】
またコーキング材（７）は、ビス穴（６）を密封する役目は果たすものの、図４Ｄにも示したように、下地シート（３）までは行き届かない。このため、ビス（８）の貫通によって生じた下地シート（３）の裂け目から雨水等が野地板（２）に浸水し、屋根構造の劣化の原因となる場合があった。
【０００６】
この出願の発明は、以上のとおりの事情に鑑みてなされたものであって、屋根設置部材の取付工程を簡便に行うことができ、しかもビス固定箇所周辺を確実に防水処理することのできる屋根設置部材の新しい固定構造を提供することを課題としている。
【０００７】
【課題を解決するための手段】
この出願は、前記の課題を解決するための発明とした、第１には、屋根材を貫通して下地シートおよび野地板に刺入されたビスによって屋根設置部材が屋根材上に固定された構造であって、ビス本体の上部領域にはシール材が被覆されており、このビスのシール材が屋根材のビス穴を密封し、かつシール材下端が下地シートに密接している事を特徴とする構造を提供する。
【０００８】
また第２には、この発明は、シール材下端の凹部にコーキング材を充填したビスが、屋根材を貫通して下地シートおよび野地板に刺入されている事を特徴とする構造を提供する。
【０００９】
【発明の実施の形態】
以下、添付した図面に沿ってこの出願の発明の実施形態について詳細かつ具体的に説明する。
【００１０】
図１は、第１の発明の固定構造を例示した側断面図と、この固定構造に使用するビスの拡大側面図である。この図１に例示した固定構造においては、既設の屋根（１）は野地板（２）、下地シート（３）、およびスレート瓦等の屋根材（４）からなる積層構造であり、屋根設置部材の固定箇所にフレーム材（５）を配置している。そして、このフレーム材（５）と屋根材（４）のビス穴（６）を介して下地シート（３）および野地板（２）に回転刺入したビス（１１）によって接続金具（９）が取付けられ、この接続金具（９）に屋根設置部材（１０）が固定される。なお、屋根設置部材（１０）は、太陽電池パネル、太陽熱給湯システム、風力発電システム、電波アンテナ等の、屋根表面に設置する装置システム全般を対象とする。
【００１１】
ビス（１１）は、図１の拡大図にも示したように、その本体（１２）の上部領域にシール材（１３）が被覆されており、ビス穴（６）を介してこのビス（１１）を野地板（２）に締め込むと、シール材（１３）の側面がビス穴（６）の壁面に密着してビス穴（６）を密封する。さらに、シール材（１３）の下端面（１４）が下地シート（３）に密接し、ビス本体針（１１）の刺入部を完全に密封する。
【００１２】
シール材（１３）は弾力性、耐久性、防水性を有していればいかなるものでもよく、シリコン、ゴム、合成高分子ゲル等が例示される。またビス本体（１２）のシール材（１３）部分の太さは、ビス穴（６）の口径と略同一とする。例えば、ビス穴（６）の口径を１０〜１６ｍｍとした場合には、シール材（１３）部分の太さは９〜１７ｍｍ程度とすることができる。さらに、ビス本体（１２）に被覆するシール材（１３）の範囲（長さ）は、フレーム材（５）の上表面から下地シート（３）までの距離と同一またはそれより１〜２ｍｍ程度長い範囲とする。例えば、フレーム材（５）の上表面から下地シート（３）までの距離が５０ｍｍである場合には、ビス本体（１２）の上端からは５０〜５２程度の範囲をシール材（１３）で被覆すればよい。
【００１３】
なお、図１の例では、ビス本体（１２）の表面は平面的に表示したが、実際には螺旋状のビス溝が形成されていることは言うまでもない。また、図１ではワッシャー（１５）を組み合わせた状態のビス（１１）を例示したが、このワッシャー（１５）はビス（１１）と一体化していてもよく、もちろん別体であってもよい。
【００１４】
図２は、第２の発明の固定構造に使用するビスの側面図である。この図２に示したビス（１６）は、図１に示したものと同様に、ビス本体（１２）の上部領域にシール材（１３）が被覆されているが、このシール材（１３）の下端に凹部（１７）が形成されている。そしてこのビス（１６）は、その凹部（１７）にコーキング材（７）を充填した状態で、ビス穴（６）を介して下地シート（３）および野地板（２）に回転刺入される。その際に、凹部（１７）の先端部が潰れ、図３に提示したように、コーキング材（７）がビス穴（６）に圧入され、ビス穴（６）の内壁面とビスシール材（１３）の表面との間にコーキング材（７）の層が形成され、ビス穴（６）の密封性がより向上した状態となる。なお、コーキング材（７）は従来例と同様のシリコン等を適宜に選択して使用することができる。また、凹部（１７）の大きさや、そこに充填するコーキング材（７）の量もビス穴（６）の口径やシール材（１３）の太さ等に応じて適宜に調節することができる。
【００１５】
この出願の発明は、以上の例によって限定されるものではなく、細部については様々な形態が可能であることは言うまでもない。
【００１６】
【発明の効果】
以上、詳しく説明したとおり、この出願の発明によって、屋根設置部材の取付工程を簡便に行うことができ、しかもビス固定箇所の周辺を確実に防水処理することのできる屋根設置部材の新しい固定構造が提供される。
【図面の簡単な説明】
【図１】第１の発明の固定構造を例示した側断面図と、この固定構造に使用するビスの拡大側面図である。
【図２】第２の発明の固定構造に使用するビスを提示した側面図である。
【図３】図２に例示したビスの固定状態を例示した側面図である。
【図４】従来の屋根設置部材の固定方法における工程図である。
【符号の説明】
１　　屋根
２　　野地板
３　　下地シート
４　　屋根部材
５　　フレーム材
６　　ビス穴
７　　コーキング材
８　　ビス
９　　接続金具
１０　屋根設置部材
１１　ビス
１２　ビス本体
１３　シール材
１４　下端面
１５　ワッシャー
１６　ビス
１７　凹部
【図１】
2004027575.tif 000003
【図２】
2004027575.tif 000004
【図３】
2004027575.tif 000005
【図４】
2004027575.tif 000006